(57)【要約】【課題】端子金具と接続された電線をコネクタハウジングと相手方のコネクタとの嵌合方向と平行に位置付けることができるコネクタを提供する。【解決手段】コネクタ１は、コネクタハウジング２とレバー４とを備えている。コネクタハウジング２は、電線束１１と接続された端子金具を収容する。レバー４は、コネクタハウジング２の外面に重ねられてコネクタハウジング２を互いの間に位置付ける一対の平板部４１と、一対の平板部４１の一端同士を互いに連結する連結部４２と、電線固定部５０とを備えている。電線固定部５０は、連結部４２から延びて一対設けられ、コネクタハウジング２と相手方のコネクタとが嵌合したときに互いの間にコネクタハウジング２からこのコネクタハウジング２外に突出した電線束１１を位置付けて、この電線束１１をコネクタハウジング２と相手方のコネクタとの嵌合方向Ｘと平行に位置付ける。【選択図】図１
2010102921.tif 000002
【特許請求の範囲】
【請求項１】
電線と接続された端子金具を収容するコネクタハウジングと、
前記コネクタハウジングに回転自在に取り付けられ、前記コネクタハウジングに対して回転することで前記コネクタハウジングと相手方のコネクタとを嵌合させるレバーと、を備えたコネクタにおいて、
前記レバーが、
前記コネクタハウジングの外面に重ねられて当該コネクタハウジングを互いの間に位置付ける一対の平板部と、
前記一対の平板部の一端同士を互いに連結する連結部と、
前記連結部から延びて一対設けられ、前記コネクタハウジングと前記相手方のコネクタとが嵌合したときに互いの間に前記コネクタハウジングからこのコネクタハウジング外に突出した前記電線を位置付けて、この電線を前記コネクタハウジングと前記相手方のコネクタとの嵌合方向と平行に位置付ける電線固定部と、を備えたことを特徴とするコネクタ。
【請求項２】
前記コネクタハウジングと前記相手方のコネクタとが嵌合したときに、前記電線固定部の長手方向が前記嵌合方向に交差することを特徴とする請求項１に記載のコネクタ。
【請求項３】
前記電線固定部が、
一端が前記連結部に連なり、互いの間に前記電線を位置付ける一対の弾性アーム部と、
前記一対の弾性アーム部の他端同士から互いに近づく方向に突出し、かつ、互いに間隔をあけた突出片と、を備えたことを特徴とする請求項１または請求項２に記載のコネクタ。
【請求項４】
前記コネクタハウジングに取り付けられ、前記コネクタハウジングからこのコネクタハウジング外に突出した前記電線の外周を覆う電線カバーをさらに備えるとともに、
前記電線カバーが、内側に前記電線を通し、かつ、この電線を前記嵌合方向と平行に位置付けて外部に導出する開口部を備えたことを特徴とする請求項１ないし請求項３のうちいずれか一項に記載のコネクタ。
【発明の詳細な説明】
【技術分野】
【０００１】
本発明は、電線の接続等に使用されるコネクタに関する。
【背景技術】
【０００２】
移動体としての自動車には、多種多様な電子機器が搭載される。この自動車は、前記電子機器に電力や制御信号等を伝えるために、ワイヤハーネスを配索している。ワイヤハーネスは、複数の電線と、コネクタ（例えば、特許文献１参照）とを備えている。電線は、導電性の芯線と、該芯線を被覆する絶縁性の被覆部とを備えた所謂被覆電線である。
【０００３】
特許文献１に記載されたコネクタは、端子金具と、コネクタハウジングと、電線カバーとを備えている。端子金具は、導電性の板金を折り曲げて形成され、電線の端末に取り付けられて該電線の芯線と電気的及び機械的に接続する。コネクタハウジングは、絶縁性の合成樹脂等で構成され、箱状に形成されている。コネクタハウジングには、端子収容室が複数設けられている。端子収容室は、コネクタハウジングを貫通した空間である。端子収容室は、端子金具を内部に収容する。
【０００４】
電線カバーは、絶縁性の合成樹脂等で構成されている。電線カバーは、カバー本体と、導入開口部と、導出開口部とを備えている。カバー本体は、略樋形状に形成され、コネクタハウジングに取り付けられて、コネクタハウジング内の端子金具に接続された電線の外周を覆う。
【０００５】
導入開口部は、カバー本体に設けられている。導入開口部は、カバー本体のコネクタハウジングと相対する部分に設けられ、コネクタハウジングと相手方のコネクタとの嵌合方向に開口している。導入開口部は、カバー本体がコネクタハウジングに取り付けられると、コネクタハウジングからこのコネクタハウジング外に突出した電線を内側に通して該電線をカバー本体内に導入する。
【０００６】
導出開口部は、カバー本体に設けられている。導出開口部は、導入開口部と連通して形成され、前記嵌合方向に直交（交差）する方向に開口している。導出開口部は、導入開口部を通ってカバー本体内に導入された電線を内側に通して、前記嵌合方向に直交（交差）する方向に電線を位置付ける。また、導出開口部の外縁には、前記嵌合方向に直交（交差）する方向に沿って突出した樋形状の電線固定部が設けられている。
【０００７】
前述した電線カバーによって、端子金具に接続された電線は、導入開口部を通してカバー本体内に導入される。そして、前記電線は、カバー本体内でＬ字状に曲げられて導出開口部を通して前記嵌合方向に直交（交差）する方向に沿って外部に導出され、別部品の結束バンドによって電線固定部に固定されて、前記嵌合方向に直交（交差）するように位置付けられる。
【特許文献１】特開２００２−３４３４９７号公報
【発明の開示】
【発明が解決しようとする課題】
【０００８】
しかしながら、前述した特許文献１に記載されたコネクタにおいては、電線を前記嵌合方向に直交（交差）するように位置付けることしかできないので、例えばワイヤハーネス配索時に前記嵌合方向に平行に電線を位置付けたいときには使用できなかった。
【０００９】
さらに、前述した特許文献１に記載されたコネクタにおいては、電線を別部品の結束バンドによって電線カバーの電線固定部に固定するので、構成部品が多くなってコストが高騰する傾向にあった。また、結束バンドは電線を締めた後に余長を切断する必要があるので、作業に手間がかかるといった問題があった。
【００１０】
本発明は、このような問題を解決することを目的としている。即ち、本発明は、端子金具と接続された電線をコネクタハウジングと相手方のコネクタとの嵌合方向と平行に位置付けることができるコネクタを提供することを目的としている。
【課題を解決するための手段】
【００１１】
前記課題を解決し目的を達成するために、請求項１に記載された発明は、電線と接続された端子金具を収容するコネクタハウジングと、前記コネクタハウジングに回転自在に取り付けられ、前記コネクタハウジングに対して回転することで前記コネクタハウジングと相手方のコネクタとを嵌合させるレバーと、を備えたコネクタにおいて、前記レバーが、前記コネクタハウジングの外面に重ねられて当該コネクタハウジングを互いの間に位置付ける一対の平板部と、前記一対の平板部の一端同士を互いに連結する連結部と、前記連結部から延びて一対設けられ、前記コネクタハウジングと前記相手方のコネクタとが嵌合したときに互いの間に前記コネクタハウジングからこのコネクタハウジング外に突出した前記電線を位置付けて、この電線を前記コネクタハウジングと前記相手方のコネクタとの嵌合方向と平行に位置付ける電線固定部と、を備えたことを特徴としたコネクタである。
【００１２】
請求項２に記載された発明は、請求項１に記載されたコネクタにおいて、前記コネクタハウジングと前記相手方のコネクタとが嵌合したときに、前記電線固定部の長手方向が前記嵌合方向に交差することを特徴としたコネクタである。
【００１３】
請求項３に記載された発明は、請求項１または請求項２に記載されたコネクタにおいて、前記電線固定部が、一端が前記連結部に連なり、互いの間に前記電線を位置付ける一対の弾性アーム部と、前記一対の弾性アーム部の他端同士から互いに近づく方向に突出し、かつ、互いに間隔をあけた突出片と、を備えたことを特徴としたコネクタである。
【００１４】
請求項４に記載された発明は、請求項１ないし請求項３のうちいずれか一項に記載されたコネクタにおいて、前記コネクタハウジングに取り付けられ、前記コネクタハウジングからこのコネクタハウジング外に突出した前記電線の外周を覆う電線カバーをさらに備えるとともに、前記電線カバーが、内側に前記電線を通し、かつ、この電線を前記嵌合方向と平行に位置付けて外部に導出する開口部を備えたことを特徴としたコネクタである。
【発明の効果】
【００１５】
請求項１に記載された発明によれば、コネクタハウジングと相手方のコネクタとが嵌合したときに一対の電線固定部間に電線を位置付けることによって、電線をコネクタハウジングと相手方のコネクタとの嵌合方向と平行に位置付けることができる。
【００１６】
請求項２に記載された発明によれば、コネクタハウジングと相手方のコネクタとが嵌合したときに、電線固定部の長手方向が前記嵌合方向に交差する。したがって、一対の電線固定部間に電線を位置付けることによって、電線を確実に前記嵌合方向と平行に位置付けることができる。
【００１７】
請求項３に記載された発明によれば、突出片間に電線を押し込むと、弾性アーム部が弾性変形して電線が突出片間を通って一対の弾性アーム部間に位置付けられた後、弾性アーム部が弾性復元して突出片によって電線が一対の弾性アーム部間から抜け出ることなく保持される。したがって、簡単な作業で電線を電線固定部間に保持でき、また、別部品を用いることなく電線を電線固定部間に確実に保持できる。
【００１８】
請求項４に記載された発明によれば、電線カバーの開口部から導出された電線を電線固定部が前記嵌合方向と平行に位置付けることによって、コネクタハウジングに電線カバーを取り付けても電線を前記嵌合方向と平行に位置付けることができる。
【発明を実施するための最良の形態】
【００１９】
以下、本発明の一実施形態にかかるコネクタを図１ないし図４を参照して説明する。本発明の一実施形態にかかるコネクタ１は、図１に示すワイヤハーネス１０を構成する。ワイヤハーネス１０は、電線束１１と、コネクタ１とを備えている。
【００２０】
電線束１１は、図１に示すように複数の電線１２からなる。電線束１１は、複数の電線１２に図示しない粘着テープ等を巻き付ける等して、複数の電線１２を束ねて形成されている。電線１２は、導電性の芯線と、該芯線を被覆した絶縁性の被覆部とを備えた所謂被覆電線である。電線束１１は、特許請求の範囲に記載の「電線」に相当する。
【００２１】
コネクタ１は、コネクタハウジング２と、電線カバー３と、レバー４とを備えている。コネクタハウジング２は、絶縁性の合成樹脂等で構成されている。コネクタハウジング２は、図１及び図２に示すように、ハウジング本体２０と、フード部２１とを一体に備えている。
【００２２】
ハウジング本体２０は、箱状に形成され、端子収容室２２（図２）を備えている。端子収容室２２は、直線孔状に形成されて複数設けられている。複数の端子収容室２２は、互いに平行に設けられている。端子収容室２２は、端子金具（図示せず）を内部に収容する。コネクタハウジング２は、端子収容室２２の長手方向に沿って相手方のコネクタ（図示せず）と嵌合する。コネクタハウジング２と相手方のコネクタとが嵌合する際にコネクタハウジング２と相手方のコネクタとが相対的に接離する（近づいたり離れたりする）方向を、矢印Ｘ（図１等）で示し、コネクタハウジング２と相手方のコネクタとの嵌合方向Ｘ（以下、嵌合方向Ｘという）と呼ぶ。
【００２３】
端子金具は、導電性の板金を折り曲げて形成され、複数設けられている。端子金具は、電気接触部と電線接続部とを備えている。電気接触部は、コネクタハウジング２が相手方のコネクタと嵌合すると、相手方のコネクタの端子金具と電気的に接続する。電線接続部は、電気接触部に連なっている。電線接続部は、電線１２と電気的及び機械的に接続する。電線接続部が電線１２と接続することで、端子金具は電線１２と接続する。
【００２４】
フード部２１は、角筒状に形成され、ハウジング本体２０を内部に収容した格好で、ハウジング本体２０と一体に形成されている。フード部２１の嵌合方向Ｘの中央が、ハウジング本体２０の嵌合方向Ｘの中央と連なっている。フード部２１の嵌合方向Ｘの両端は、嵌合方向Ｘに開口している。このフード部２１の両端において、フード部２１の内面はハウジング本体２０の外面と間隔をあけている。フード部２１の一方の開口２１ａからは相手方のコネクタが挿入され、フード部２１の他方の開口２１ｂからは電線カバー３が挿入される。
【００２５】
フード部２１には、レバー支持突起２３と、図示しないレバーロックアーム、カム突起通し孔、カバーロック部とが設けられている。レバー支持突起２３は、円柱状に形成されている。レバー支持突起２３は、フード部２１を構成する複数の外壁２１ｃのうちの互いに相対する一対の外壁２１ｃのそれぞれに設けられている。この一対の外壁２１ｃの外面には、レバー４の後述する平板部４１が重ねられる。レバー支持突起２３は、前記外壁２１ｃの外面の中央からフード部２１の外方向に突出している。レバー支持突起２３は、レバー４の後述する丸孔４３内に通されてレバー４の回転中心となる。
【００２６】
レバーロックアームは、レバー支持突起２３が設けられたフード部２１の一対の外壁２１ｃにそれぞれ設けられ、レバー支持突起２３の近傍に設けられている。レバーロックアームは、片持ちアーム状に形成され、フード部２１の内方向に向かって弾性変形自在に設けられている。レバーロックアームは、レバー４の後述するロック孔４４内に進入して、レバー４を後述する初期位置に位置付ける。
【００２７】
カム突起通し孔は、レバー支持突起２３が設けられたフード部２１の一対の外壁２１ｃにそれぞれ設けられ、これら外壁２１ｃを貫通している。カム突起通し孔は、前記外壁２１ｃの一方の開口２１ａ側の外縁から嵌合方向Ｘに沿って延びている。カム突起通し孔は、相手方のコネクタのコネクタハウジングの外面から突出したカム突起を内部に通す。
【００２８】
カバーロック部は、レバー支持突起２３が設けられたフード部２１の一対の外壁２１ｃにそれぞれ設けられている。カバーロック部は、前記外壁２１ｃの他方の開口２１ｂ側の内面に設けられている。カバーロック部は、電線カバー３の後述するロック爪３４ｅと係合して、コネクタハウジング２に電線カバー３を取り付ける。
【００２９】
電線カバー３は、絶縁性の合成樹脂等で構成されている。電線カバー３は、図４に示すように、カバー本体３０と、導入開口部３１と、第１の開口部３２と、第２の開口部３３とを備えている。
【００３０】
カバー本体３０は、一対の側壁部３４と、一対の側壁部３４の端部同士を互いに連結する連結壁３５とを備え、略樋形状に形成されている。一対の側壁部３４は、それぞれ、同一平面上に互いに間隔をあけて並んだ複数の側壁がロック爪３４ｅによって連結されて、全体として略台形状の平板状に形成されている。一対の側壁部３４は、互いに間隔をあけて相対し、互いに平行に設けられている。
【００３１】
ロック爪３４ｅは、一対の側壁部３４のコネクタハウジング２と相対する外縁３４ａ近傍に設けられている。ロック爪３４ｅは、一対の側壁部３４のそれぞれに、互いに間隔をあけて複数ずつ設けられている。ロック爪３４ｅは、側壁部３４からコネクタハウジング２に向かって延びている。ロック爪３４ｅは、コネクタハウジング２のカバーロック部と係合して、カバー本体３０即ち電線カバー３をコネクタハウジング２に取り付ける。コネクタハウジング２に取り付けられた電線カバー３は、コネクタハウジング２からこのコネクタハウジング２外に突出した電線束１１の外周を覆う。
【００３２】
連結壁３５は、一対の側壁部３４の前述した外縁３４ａに連なる外縁３４ｂと、外縁３４ｂに連なり外縁３４ａと平行な外縁３４ｃの一部と、を互いに連結している。連結壁３５は、側壁部３４と直交している。連結壁３５には、ロックアーム３６と、リブ３７とが設けられている。
【００３３】
ロックアーム３６は、連結壁３５に連なるアーム本体３６ａと、アーム本体３６ａの外面から突出したロック突部３６ｂとを備えている。アーム本体３６ａは、連結壁３５の幅方向（図３中、上下方向）中央に設けられ、長手方向が嵌合方向Ｘに略直交している。アーム本体３６ａは、後述する第２の開口部３３から離れた一端が連結壁３５に連なり、第２の開口部３３寄りの他端が自由端とされた片持ちアーム状に形成されている。アーム本体３６ａは、電線カバー３の内方向に向かって弾性変形自在に設けられている。
【００３４】
ロック突部３６ｂは、アーム本体３６ａ他端の外面から電線カバー３の外方向に突出している。ロック突部３６ｂのアーム本体３６ａ一端側の端面は、アーム本体３６ａの一端にいくにしたがってアーム本体３６ａの外表面に近づくように傾斜したテーパ面とされている。
【００３５】
リブ３７は、互いの間にロックアーム３６を位置付けるように一対設けられている。リブ３７は、連結壁３５の側壁部３４から離れた外面から突出し、ロックアーム３６の長手方向に沿って延びている。リブ３７は、ロックアーム３６よりも連結壁３５の外面から突出している。
【００３６】
導入開口部３１は、カバー本体３０のハウジング本体２０端面と相対する部分に設けられ、嵌合方向Ｘに開口している。導入開口部３１は、一対の側壁部３４の前述した外縁３４ａと、これら外縁３４ａに連なる連結壁３５の外縁３５ａと、に囲まれた開口である。導入開口部３１は、電線カバー３がコネクタハウジング２に取り付けられると、コネクタハウジング２からこのコネクタハウジング２外に突出した電線束１１を内側に通して、この電線束１１をカバー本体３０内に導入して嵌合方向Ｘと平行に位置付ける。
【００３７】
第１の開口部３２は、導入開口部３１及び第２の開口部３３と連通して設けられ、嵌合方向Ｘに直交（交差）する方向に開口している。第１の開口部３２は、一対の側壁部３４の前述した外縁３４ａに連なりかつ外縁３４ａと略直交する外縁３４ｄ同士の間の開口である。
【００３８】
第２の開口部３３は、カバー本体３０のコネクタハウジング２から離れた部分に設けられ、嵌合方向Ｘに開口している。第２の開口部３３は、一対の側壁部３４の前述した外縁３４ｃの他部と、これら外縁３４ｃに連なる連結壁３５の外縁３５ｂと、に囲まれた開口である。第２の開口部３３は、導入開口部３１と嵌合方向Ｘに沿って相対し、第１の開口部３２と連通している。第２の開口部３３は、特許請求の範囲に記載の「開口部」に相当する。
【００３９】
前述した第２の開口部３３は、導入開口部３１からカバー本体３０内に導入された電線束１１を内側に通して、この電線束１１を嵌合方向Ｘと平行に位置付けて外部に導出する。さらに、第２の開口部３３は、図１に示すようにレバー４が後述する係止位置に位置付けられると、嵌合方向Ｘに沿ってレバー４の電線固定部５０と重なり合う。このため、第２の開口部３３から嵌合方向Ｘと平行に位置付けられて外部に導出された電線束１１は、嵌合方向Ｘと平行に位置付けられたままで電線固定部５０に保持される。
【００４０】
レバー４は、絶縁性の合成樹脂等で構成されている。レバー４は、図１等に示すように一対の平板部４１と、一対の平板部４１の一端同士を互いに連結する連結部４２とを備え、コ字状に形成されている。
【００４１】
一対の平板部４１は、それぞれ、円盤状のカム板部と、カム板部の外縁から突出した矩形板状のアーム部とを一体に備え、平板状に形成されている。一対の平板部４１は、互いに間隔をあけて相対し、互いに平行に設けられている。一対の平板部４１は、レバー４がコネクタハウジング２に取り付けられると、レバー支持突起２３が設けられたフード部２１の一対の外壁２１ｃの外面にそれぞれ重ねられる。一対の平板部４１には、丸孔４３と、ロック孔４４と、カム孔４５とが設けられている。
【００４２】
丸孔４３は、一対の平板部４１のそれぞれに設けられている。丸孔４３は、平面形状が円形状に形成され、カム板部の中央を貫通している。丸孔４３は、コネクタハウジング２のレバー支持突起２３を内部に通す。
【００４３】
ロック孔４４は、一対の平板部４１のそれぞれに設けられ、丸孔４３の近傍に設けられている。ロック孔４４は、平面形状が矩形状に形成され、カム板部を貫通している。ロック孔４４は、コネクタハウジング２のレバーロックアームを内部に通してレバー４を初期位置に位置付ける。
【００４４】
カム孔４５は、一対の平板部４１のそれぞれに設けられている。カム孔４５は、カム板部を貫通し、カム板部の外縁から中央に向かうにしたがって徐々に丸孔４３に近づくように延びている。カム孔４５は、レバー４が初期位置に位置付けられるとコネクタハウジング２のカム突起通し孔と連通し、相手方のコネクタのカム突起を内部に通す。
【００４５】
連結部４２は、帯板状に形成されている。連結部４２は、一対の平板部４１のアーム部の先端同士を互いに連結して、一対の平板部４１の一端同士を互いに連結している。連結部４２は、一対の平板部４１と略直交している。連結部４２は、レバー４が初期位置に位置付けられるとフード部２１の図３中右側の外壁２１ｃと相対し、レバー４が係止位置に位置付けられるとフード部２１の他方の開口２１ｂと相対する。連結部４２の平板部４１寄りの内面には、ロック突起４６（図３）が突出している。
【００４６】
ロック突起４６は、連結部４２の長手方向（図３中、上下方向）中央に設けられている。ロック突起４６の後述する回転方向Ｐ２前方側の端面は、回転方向Ｐ２にいくにしたがって連結部４２の内面に近づくように徐々に傾斜したテーパ面とされている。ロック突起４６は、レバー４と電線カバー３とがコネクタハウジング２に取り付けられると、レバー４の回転方向Ｐ１、Ｐ２に沿って電線カバー３のロックアーム３６と並んで配される。ロック突起４６は、ロックアーム３６と係合してレバー４を係止位置に位置付ける。
【００４７】
前述したレバー４は、一対の平板部４１がコネクタハウジング２及び電線カバー３を互いの間に位置付けるようにフード部２１即ちコネクタハウジング２の外面に重ねられ、かつ、丸孔４３内にレバー支持突起２３が通されて、これら丸孔４３及びレバー支持突起２３を中心として回転自在にコネクタハウジング２に取り付けられる。さらに、レバー４のカム孔４５内には、相手方のコネクタのカム突起が進入する。そして、レバー４は、丸孔４３及びレバー支持突起２３を中心としてコネクタハウジング２に対して回転することで、カム突起をカム孔４５内で摺動（移動）させて、コネクタハウジング２と相手方のコネクタとを嵌合方向Ｘに沿って互いに接離させ、コネクタハウジング２と相手方のコネクタとを嵌合させる。
【００４８】
また、レバー４は、コネクタハウジング２と相手方のコネクタとを完全に分離させる初期位置と、コネクタハウジング２と相手方のコネクタとを完全に嵌合させる係止位置（図１ないし図３）とに亘ってコネクタハウジング２に回転自在に取り付けられる。レバー４が初期位置から係止位置に向かって回転する方向を矢印Ｐ１で示し、レバー４が係止位置から初期位置に向かって回転する方向を矢印Ｐ２で示し、それぞれ回転方向Ｐ１、Ｐ２と呼ぶ。
【００４９】
初期位置のレバー４は、ロック孔４４内にコネクタハウジング２のレバーロックアームが通されて回転方向Ｐ１及びＰ２への回転が規制されている。また、係止位置のレバー４は、図１及び図２に示すように、平板部４１と連結部４２の連結部分４７と電線カバー３の側壁部３４の外縁３４ｃとが係合して回転方向Ｐ１への回転が規制され、ロック突起４６と電線カバー３のロックアーム３６とが係合して回転方向Ｐ２への回転が規制されている。このように、連結部分４７と外縁３４ｃ、及び、ロック突起４６と電線カバー３は、係止位置に位置付けられたレバー４の回転を規制する回転規制部をなしている。
【００５０】
さらに、レバー４は、図１ないし図３に示すように、電線固定部５０を備えている。電線固定部５０は、連結部４２の回転方向Ｐ１前方側の外縁から連結部４２の長手方向に直交する方向に延びて一対設けられている。一対の電線固定部５０は、レバー４が係止位置に位置付けられてコネクタハウジング２と相手方のコネクタとが嵌合したときに、その長手方向が嵌合方向Ｘに直交（交差）するように、連結部４２から延びて設けられている。一対の電線固定部５０は、互いに間隔をあけて相対している。一対の電線固定部５０は、一対の弾性アーム部５１と、一対の弾性アーム部５１にそれぞれ設けられた突出片５２とを備えている。
【００５１】
一対の弾性アーム部５１は、それぞれ、帯板状に形成され、互いに離れる方向（及び互いに近づく方向）に弾性変形自在に設けられている。一対の弾性アーム部５１の長手方向一端（基端）は、それぞれ、連結部４２に連なっている。一対の弾性アーム部５１は、電線束１１の外径よりも大きな間隔をあけて相対し、互いの間に電線束１１を位置付ける。一対の弾性アーム部５１の長手方向一端側は互いに平行に設けられ、長手方向他端（先端）側は互いに近づく方向に僅かに湾曲している。また、一対の弾性アーム部５１間の連結部４２の外縁は、電線束１１の外周面に合わせて凹状に形成されている。
【００５２】
突出片５２は、一対の弾性アーム部５１の他端同士から互いに近づく方向に突出して、一対設けられている。一対の突出片５２は、先端同士の間に間隔をあけるような突出量で形成され、互いに間隔をあけている。この間隔は、一対の弾性アーム部５１間に電線束１１を位置付ける際の電線通し口５３とされている。電線通し口５３は、一対の弾性アーム部５１が弾性変形していない中立状態のときに電線束１１を通さない大きさで、かつ、一対の弾性アーム部５１が互いに離れる方向に弾性変形したときに電線束１１を通すことができる大きさに設けられている。
【００５３】
前述した一対の電線固定部５０は、コネクタハウジング２に取り付けられたレバー４が係止位置に位置付けられて連結部４２がフード部２１の他方の開口２１ｂと相対すると、長手方向が嵌合方向Ｘに直交（交差）する。そして、一対の電線固定部５０は、コネクタハウジング２からこのコネクタハウジング２外に突出した電線束１１を電線通し口５３に押し込むと、一対の弾性アーム部５１が互いに離れる方向に弾性変形して電線通し口５３が押し広げられ、電線通し口５３を通して電線束１１を一対の弾性アーム部５１間に位置付ける。その後、弾性アーム部５１が弾性復元して電線通し口５３が狭められて、突出片５２が一対の弾性アーム部５１間から電線束１１の抜け出ることを防止する。このように、一対の電線固定部５０は、互いの間に電線束１１を位置付けて、この電線束１１を嵌合方向Ｘと平行に位置付ける。
【００５４】
前述したコネクタ１を組み立てる際には、まず、電線１２と接続された複数の端子金具をフード部２１の他方の開口２１ｂ側から端子収容室２２内に挿入して、コネクタハウジング２内に端子金具を収容する。そして、コネクタハウジング２外に突出した複数の電線１２に粘着テープ等を巻き付けて、電線束１１としておく。
【００５５】
その後、フード部２１の他方の開口２１ｂと電線カバー３の導入開口部３１とを相対させて、コネクタハウジング２と電線カバー３とを嵌合方向Ｘに沿って近づけていく。そして、フード部２１とハウジング本体２０との隙間にカバー本体３０の先端を挿入し、カバーロック部とロック爪３４ｅとを係合させて、コネクタハウジング２に電線カバー３を取り付ける。このとき、電線束１１は、導入開口部３１からカバー本体３０内に導入された後に、第２の開口部３３を通って嵌合方向Ｘと平行に位置付けられて外部に導出されている。
【００５６】
その後、コネクタハウジング２のレバー支持突起２３をレバー４の丸孔４３内に通してコネクタハウジング２にレバー４を取り付け、レバー４を初期位置に位置付けてカム突起通し孔とカム孔４５とを連通させる。そして、フード部２１の一方の開口２１ａ側から相手方のコネクタのコネクタハウジングの先端を挿入し、連通したカム突起通し孔とカム孔４５内にカム突起を通す。
【００５７】
そして、初期位置のレバー４を矢印Ｐ１方向に回転させてカム突起をカム孔４５内の奥側に移動させていき、コネクタハウジング２と相手方のコネクタとを近づけていく。レバー４が係止位置に位置付けられると、カム孔４５の最奥部にカム突起が位置付けられ、コネクタハウジング２と相手方のコネクタとが嵌合する。
【００５８】
レバー４が係止位置に位置付けられると、前述したようにレバー４の連結部分４７と電線カバー３の外縁３４ｃとが係合し、かつ、レバー４のロック突起４６と電線カバー３のロックアーム３６とが係合して、レバー４の回転が規制される。また、レバー４が係止位置に位置付けられると、電線固定部５０の長手方向が嵌合方向Ｘに直交（交差）するとともに、電線固定部５０と第２の開口部３３とが嵌合方向Ｘに沿って並んで配される。
【００５９】
そして、第２の開口部３３から導出された電線束１１を、前述したように電線通し口５３を通して一対の弾性アーム部５１間に押し込む。電線束１１は、一対の電線固定部５０間に位置付けられて、嵌合方向Ｘと平行に位置付けられた状態で保持される。以上のようにして、図１に示すコネクタ１が組み立てられる。
【００６０】
本実施形態によれば、レバー４が係止位置に位置付けられてコネクタハウジング２と相手方のコネクタとが嵌合したときに、一対の電線固定部５０間に電線束１１を位置付けることによって、電線束１１を嵌合方向Ｘと平行に位置付けることができる。
【００６１】
コネクタハウジング２と相手方のコネクタとが嵌合したときに、電線固定部５０の長手方向が前記嵌合方向Ｘに直交（交差）する。したがって、一対の電線固定部５０間に電線束１１を位置付けることによって、電線束１１を確実に嵌合方向Ｘと平行に位置付けることができる。
【００６２】
電線固定部５０が、一対の弾性アーム部５１と、これら弾性アーム部５１から互いに近づく方向に突出しかつ互いの間に電線通し口５３を形成した突出片５２とを備えている。このため、電線通し口５３に電線束１１を押し込むと、弾性アーム部５１が弾性変形して電線束１１が電線通し口５３を通って一対の弾性アーム部５１間に位置付けられた後、弾性アーム部５１が弾性復元して突出片５２によって電線束１１が一対の弾性アーム部５１間から抜け出ることなく保持される。したがって、簡単な作業で電線束１１を電線固定部５０間に保持でき、また、別部品を用いることなく電線を電線固定部５０間に確実に保持できる。
【００６３】
電線カバー３が、電線束１１を嵌合方向Ｘと平行に位置付けて外部に導出する第２の開口部３３を備えている。このため、第２の開口部３３から導出された電線束１１を電線固定部５０が嵌合方向Ｘと平行に位置付けることによって、コネクタハウジング２に電線カバー３を取り付けても電線束１１を嵌合方向Ｘと平行に位置付けることができる。
【００６４】
前述した実施形態においては、電線固定部５０が電線束１１、即ち複数の電線１２を固定していたが、電線１２の本数は１本であってもよい。また、前述した実施形態においては、レバー４が係止位置に位置付けられると電線固定部５０の長手方向が嵌合方向Ｘに直交していたが、少なくとも嵌合方向Ｘに交差すればよい。
【００６５】
また、前述した実施形態においては、一対の弾性アーム部５１にそれぞれ突出片５２が設けられていたが、一方の弾性アーム部５１にのみ突出片５２が設けられていてもよく、また電線束１１の保持力が低下する虞があるが突出片５２を設けずに一対の弾性アーム部５１間に電線束１１を挟持するような構成としてもよい。また、前述した実施形態においては、係止位置に位置付けられたレバー４は電線カバー３の外縁３４ｃとロックアーム３６とによって回転が規制されていたが、レバー４の回転を規制する構成要素はコネクタハウジング２に設けられていてもよい。
【００６６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６７】
【図１】本発明の一実施形態にかかるコネクタを備えたワイヤハーネスを示す斜視図である。
【図２】図１に示されたコネクタを示す斜視図である。
【図３】図２に示されたコネクタの正面図である。
【図４】図２に示された電線カバーの斜視図である。
【符号の説明】
【００６８】
１    コネクタ
２    コネクタハウジング
３    電線カバー
４    レバー
１１    電線束（電線）
３３    第２の開口部（開口部）
４１    平板部
４２    連結部
５０    電線固定部
５１    弾性アーム部
５２    突出片
Ｘ    コネクタハウジングと相手方のコネクタとの嵌合方向
【図１】
2010102921.tif 000003
【図２】
2010102921.tif 000004
【図３】
2010102921.tif 000005
【図４】
2010102921.tif 000006